(57)【要約】  患者16、32をモニタリングする無線身体ネットワーク8が与えられ、その無線身体ネットワーク8は、データを収集し、かつ患者の１つの生理的機能に関連付けられる無線身体ネットワークにそのデータを送信するよう構成される、患者16、32に結合される少なくとも１つの無線ユニット10、12、14、34、36、38、40を含む。無線ユニット10、12、34、36、38、40は、無線身体ネットワークに対して一意である患者識別番号を含む患者識別フィールド82と、サービスタイプを含む少なくとも１つのサービスタイプ・フィールド84と、無線ユニット10、12、14、34、36、38、40がサービスを提供するか、又はサービスを消費するかを示すポイントタイプ・フィールド86と、患者識別フィールド82、サービスタイプ・フィールド84及びポイントタイプ・フィールド86が同一であるとき、ある無線ユニット10、12、14、34、36、38、40を別のものと区別するポイント識別フィールド88とを含むアドレッシング・スキーム80を利用する。物理的デバイス22、24、26、28は、アドレッシング・スキーム80を利用して無線ユニット10、12、14、34、36、38、40と通信するよう構成される。
2008538426.tif 000002
【特許請求の範囲】
【請求項１】
患者をモニタリングする無線身体ネットワークシステムであって、
前記患者の生理機能に関するデータを収集し、かつ無線身体ネットワークに送信するよう構成され、前記患者に結合される少なくとも１つの無線ユニットであって、
サービスを特定するサービスタイプ・フィールドと前記サービスが提供されるか消費されるかを特定するポイントタイプ・フィールドとの少なくとも１つと、
前記無線身体ネットワークに対して一意である患者識別番号を含む患者識別フィールドと、
前記患者識別フィールドと前記サービスタイプ・フィールドと前記ポイントタイプ・フィールドとが同一であるとき、ある無線ユニットを別の無線ユニットと区別するポイント識別フィールドとを含むアドレッシング・スキームを利用する無線ユニットと、
前記アドレッシング・スキームを用いて、前記無線ユニットと通信するよう構成される物理デバイスとを有する、無線身体ネットワークシステム。
【請求項２】
前記少なくとも１つの無線ユニットが、
前記一意な患者識別番号を前記無線身体ネットワークに送信するよう構成され、前記患者に結合される患者識別モジュールと、
データ処理要素、表示デバイス、データストレージユニット及びデータ送信要素のいずれかである物理デバイスとを含む、請求項１に記載のシステム。
【請求項３】
前記アドレッシング・スキームが更に、
前記サービスを示す前記サービスタイプ・フィールドと、前記無線ユニットが前記サービスを提供するか消費するかを示す前記ポイントタイプ・フィールドとを共に含む、請求項１に記載のシステム。
【請求項４】
前記患者識別フィールド、前記サービスタイプ・フィールド、前記ポイントタイプ・フィールド、及び前記ポイント識別フィールドの少なくとも１つが、マルチキャストアドレス・フィールドとして指定可能である、請求項３に記載のシステム。
【請求項５】
前記無線ユニットが、サービスポイントと制御ポイントとを両方含む、請求項３に記載のシステム。
【請求項６】
ポイント識別値が前記無線ユニットに自律的に割り当てられる、請求項１に記載のシステム。
【請求項７】
アドレスが一意でない場合、別の物理デバイスとの衝突を避けるよう、前記自律的に割り当てられるポイント識別値が前記無線身体ネットワークにより修正される、請求項５に記載のシステム。
【請求項８】
前記無線ユニットのサービスタイプが、心電計センサ、パルス酸素濃度計センサ、非侵襲血圧センサ、及び温度センサのいずれかである、請求項１に記載のシステム。
【請求項９】
前記ポイントタイプ・フィールドが、
前記無線身体ネットワークにサービスを提供するサービスポイントと、
別のサービスポイントにより提供されるサービスを消費する制御ポイントとのいずれかを含む、請求項１に記載のシステム。
【請求項１０】
前記アドレッシング・スキームが、
前記物理デバイスと前記患者との一方の特定の位置を示す位置フィールドを更に含む、請求項１に記載のシステム。
【請求項１１】
複数の無線ユニットを含む、無線医療センサネットワーク内での通信のための方法において、
アドレッシング・スキームを利用して前記無線ユニットの少なくとも１つにブロードキャストするステップを有し、前記アドレッシング・スキームが、
前記無線身体ネットワークに対して一意である患者識別番号を含む患者識別フィールドと、
サービスを特定するサービスタイプ・フィールドと前記サービスが提供されるか消費されるかを特定するポイントタイプ・フィールドとの少なくとも１つと、
前記患者識別フィールドと前記サービスタイプ・フィールドと前記ポイントタイプ・フィールドとが同一であるとき、ある無線ユニットを別の無線ユニットと区別するためのポイント識別値を含むポイント識別フィールドとを含む、方法。
【請求項１２】
前記アドレッシング・スキームが更に、
サービスタイプ値を示す前記サービスタイプ・フィールドと、前記無線ユニットがサービスを提供するか消費するかを示す前記ポイント値を含む前記ポイントタイプ・フィールドとを共に含む、請求項１１に記載の方法。
【請求項１３】
前記患者の特性に関する情報を監視し、かつ前記高性能な無線センサネットワークに送信するよう、前記無線ユニットの１つを患者に結合するステップを更に含む、請求項１１に記載の方法。
【請求項１４】
患者識別モジュールを前記患者に結合するステップを更に含み、前記患者識別モジュールが、前記患者識別フィールドにおいて前記高性能な無線センサネットワークに対する一意な患者識別番号を持つ、請求項１３に記載の方法。
【請求項１５】
前記無線ユニットを前記患者に結合した後、アドレスが一意であるかどうかを決定するため他のネットワークデバイスに対するポーリングを行うステップと、
前記結合された無線ユニットのアドレスが一意でない場合、割り当て可能な別のポイント識別値を選択するステップとを更に含む、請求項１３に記載の方法。
【請求項１６】
前記患者の特性の監視を監視するステップが、心電計値、パルス酸素濃度計値、非侵襲血圧値、及び温度値の少なくとも１つを監視するステップを含む、請求項１３に記載の方法。
【請求項１７】
前記ポイントタイプ・フィールドが、前記無線身体ネットワークにサービスを提供するサービスポイントと、前記サービスポイントにより提供されるサービスを消費する制御ポイントとのいずれかを含む、請求項１１に記載の方法。
【請求項１８】
前記アドレッシング・スキームが、
前記無線ユニットと前記患者との一方に関する特定の位置を示す位置フィールドを更に含む、請求項１１に記載の方法。
【請求項１９】
前記患者識別フィールド、前記サービスタイプ・フィールド、前記ポイントタイプ・フィールド、及び前記ポイント識別フィールドの少なくとも１つをマルチキャストアドレスとして指定するステップを更に含む、請求項１１に記載の方法。
【請求項２０】
共通のサービスポイントを備えるすべてのユニットと、
共通の制御ポイントを備えるすべてのユニットと、
選択された患者に属するすべてのユニットと、
同じサービスタイプを提供する、選択された患者のすべてのユニットと、
同じサービスタイプを消費する、選択された患者に属するすべてのユニットと、
すべてのユニットとの何れかをあて先とするマルチキャストを行うステップを更に含む、請求項１１に記載の方法。
【請求項２１】
無線センサネットワークに対するアドレッシング・スキームであって、
前記無線身体ネットワークに対して一意である患者識別番号を含む患者識別フィールドと、
サービスのタイプを示すサービスタイプ値を含むサービスタイプ・フィールドと無線ユニットが前記サービスを提供するか前記サービスを消費するかを示すポイント値を含むポイントタイプ・フィールドとの少なくとも１つと、
前記患者識別フィールドと前記サービスタイプ・フィールドと前記ポイントタイプ・フィールドとが同一であるとき、ある無線ユニットを別の無線ユニットと区別するためのポイント識別値を含むポイント識別フィールドとを有する、アドレッシング・スキーム。
【発明の詳細な説明】
【技術分野】
【０００１】
本発明は、無線身体ネットワークに関する。患者監視用途及び処置制御用途に対する高性能な無線医療センサネットワークに関連付けられるアドレッシング・スキームに特定の用途を見出し、特にそれらを参照して説明が行われることになる。しかしながら、本発明は、位置追跡、医療投薬等の複数のリアルタイムイベントを監視することに関連付けられる無線センサに対するアドレッシング・スキームを提供する用途においても適用できることを理解されたい。
【背景技術】
【０００２】
通常、患者が治療を受けるとき、１つ又は複数の生理的機能を監視することが必要とされる。例えば、心臓の機能、心拍、血圧、血中酸素レベル等を監視することが望ましい。従来、１つ又は複数の状態を医療従事者に通知することができる様々な出力デバイスに接続されるセンサを用いて、斯かる監視は実現される。また、ディスプレイ、モニタ、メモリ、中央端末等といった１つ又は複数の受信要素に斯かるデータを送信するため、無線ネットワークと共に無線センサが使用されることができる。
【０００３】
通常、無線センサは、例えば固定された番号といった一意なアドレス、ハードコードされたアドレスを持つ。これらのアドレスは一意であるが、斯かるアドレスに特定の意味が関連付けられているものではない。代わりに、そのアドレスは、ネットワークを介して情報を送信するとき、ある通信相手から別の通信相手への通信を容易にするための一意な識別子を提供するのみである。
【発明の開示】
【発明が解決しようとする課題】
【０００４】
今日のデバイスは、ネットワーク技術に基づかれるIPアドレスを、デバイスの機能とは無関係に持つ。特定のサービスを提供するデバイスを見つけるには、アプリケーションは、例えばドメインネームサーバ(DNS)といった名前解決プロトコルを使用しなければならない。この態様において、DNSは、意味のあるハイレベル・ネームをIPアドレス又はユニバーサル・プラグアンドプレイ(UPnP)といったサービスディレクトリ・プロトコルへとマッピングすることができる。しかしながら、斯かるプロトコルは、リソースに制約のある無線センサネットワークには適さない。
【０００５】
本発明は、上述の制限及びその他を克服する改善された装置及び方法を提供する。
【課題を解決するための手段】
【０００６】
１つの側面によれば、患者１６、３２をモニタリングする無線身体ネットワーク８が与えられ、その無線身体ネットワーク８は、データを収集し、かつ患者の１つの生理的機能に関連付けられる無線身体ネットワークにそのデータを送信するよう構成される、患者１６、３２に結合される少なくとも１つの無線ユニット１０、１２、１４、３４、３６、３８、４０を含む。無線ユニット１０、１２、３４、３６、３８、４０は、無線身体ネットワークに対して一意である患者識別番号を含む患者識別フィールド８２と、サービスタイプを含む少なくとも１つのサービスタイプ・フィールド８４と、無線ユニット１０、１２、１４、３４、３６、３８、４０がサービスを提供するか、又はサービスを消費するかを示すポイントタイプ・フィールド８６と、患者識別フィールド８２、サービスタイプ・フィールド８４及びポイントタイプ・フィールド８６が同一であるとき、ある無線ユニット１０、１２、１４、３４、３６、３８、４０を別の無線ユニットと区別するポイント識別フィールド８８とを含むアドレッシング・スキーム８０を利用する。物理的デバイス２２、２４、２６、２８は、アドレッシング・スキーム８０を利用して無線ユニット１０、１２、１４、３４、３６、３８、４０と通信するよう構成される。
【０００７】
別の側面によれば、複数の無線ユニット１０、１２、３４、３６、３８、４０を含む無線医療センサネットワーク８内で通信する方法が、アドレッシング・スキームを利用して、その無線ユニット１０、１２、３４、３６、３８、４０の少なくとも１つにブロードキャストを行うステップを有する。アドレッシング・スキームは、無線身体ネットワーク８に対して一意である患者識別番号を含む患者識別フィールド８２と、サービスタイプ値を含む少なくとも１つのサービスタイプ・フィールド８４と、無線ユニット１０、１２、１４、３４、３６、３８、４０がサービスを提供するか、又はサービスを消費するかを示すポイント値を含むポイントタイプ・フィールド８６と、患者識別フィールド８２、サービスタイプ・フィールド８４及びポイントタイプ・フィールド８６が同一であるとき、ある無線ユニット１０、１２、１４、３４、３６、３８、４０を異種の無線ユニット１０、１２、１４、３４、３６、３８、４０と区別するためのポイント識別値を含むポイント識別フィールド８８とを含む。
【０００８】
本発明の１つの利点は、高性能な無線医療センサネットワークにおける物理デバイスに関連付けられる情報の送信を容易にする点にある。
【０００９】
本発明の別の利点は、ネットワークにおける物理デバイスのアドレッシングが自律的に行われることができる点にある。
【００１０】
別の利点は、物理デバイスに関連付けられるアドレッシング・スキームが、デバイスの機能に基づかれ、ネットワーク内の位置には関連しない点にある。
【発明を実施するための最良の形態】
【００１１】
好ましい実施形態に関する以下の詳細な説明を読めば、様々な追加的な利点及び利益が当業者には明らかとなるであろう。
【００１２】
本発明は、様々な要素及び要素の配置、並びに様々なステップ及びステップの配置の形式を取ることができる。図面は、好ましい実施形態の説明目的であるに過ぎず、本発明を限定するものとして解釈されるべきではない。
【００１３】
例えば第１の無線センサ１０、第２の無線センサ１２及び患者IDモジュール１４といった複数のノードを有する、患者モニタリングのための無線身体ネットワーク８が示される。そのノードは、患者１６の様々な側面に関連付けられる情報を送信する。ここで使用されるものとして、「センサ」は、例えば、薬物投与ユニット、点滴供給制御、電気療法デバイス等といった制御デバイスも暗示的に含むことができる。患者IDモジュール１４は、患者識別目的のため患者１６に対して一意な信号を送信する。無線センサ１０、１２は、データ取得要素１８、２０にそれぞれ結合される。各データ取得要素１８、２０は、対応する無線センサ１０、１２により監視される患者の生理機能に関連付けられるデータを取得し、その情報を１つ又は消費するデバイスに送信する。通常消費デバイスは、データ処理要素２２、表示デバイス２４、データ送信要素２６及びデータストレージ要素２８を含む。ノードは、無線身体ネットワーク８を介して互いに直接通信する。パケットをルーティングする代わりに、無線身体ネットワーク８は、好ましくは、5から10メートルの範囲内のデバイスが通信することができる、ワンホップ(one hop)ピアトゥピア・ネットワークである。他のルーティングスキームも想定される。例えば、各関連するセンサのデータ取得ユニットは、更なる配信のためその患者からローカルの患者外(off-patient)通信ハブにデータを流す(channel)患者IDノードと通信する。
【００１４】
無線センサ１０、１２は、心電図(ECG)センサ、パルス酸素濃度計(SpO2)センサ、非侵襲血圧(NIBP)センサ、温度センサ等を用いて患者データを取得することができる。無線センサ１０、１２、患者IDモジュール１４、データ処理要素２２、表示デバイス２４、データ通信要素２６及びデータストレージ要素２８は、データを提供及び／又は消費するすべてのポイントである。データを提供するポイントは、サービスポイントであり、データを消費するポイントは、制御ポイントである。サービスポイントは、１つのサービスを提供し、制御ポイントは、１つのサービスを消費する。ノードは、サービスポイント及び制御ポイントのいずれの組み合わせもホストする(host)ことができる。図示されるように、無線センサ１０、１２及び患者IDモジュール１４は、サービスポイントである。なぜなら、それらは無線アドホック・ネットワークにデータを提供するからである。対照的に、データ処理要素２２、表示デバイス２４、データ通信要素２６、データストレージ要素２８、薬物投与デバイス等は、データを消費し、制御ポイントとなる。各ポイントには、患者ID、サービスタイプ、ポイントタイプ及びポイントIDを含むネットワーク全体で一意なアドレスが自律的に割り当てられる。
【００１５】
無線身体ネットワーク８内でノードと通信するセンサ１０、１２は、自律的にアドレス付けされる。アドレスを割り当てるのに中央端末が必要とされることはない。サービスタイプ及びポイントタイプは、通常各センサに組み込まれ、ネットワークへの接続前に判明する。各患者は、一意な患者IDを送信する自身のIDノード１４を持つ。患者が体内に１種類のタイプのセンサ(例えば、SpO2、温度、ECG、NIBP等)のみを持つ場合、異なるセンサタイプ間での衝突が軽減される。しかしながら、患者が、サービスタイプ及びポイントが同じである複数のセンサを持つとき、又は複数の異なるセンサを持つとき衝突が生じる。
【００１６】
ノードアドレスは、ネットワークトポロジーとは独立しており、代わりに、アプリケーションに関連する機能に基づかれる。本アドレッシング・スキームは、ネットワークアドレスの単純で効率的な自動割り当て、サービスディスカバリ及びイベント通知プロトコルに対する基礎を提供する。ライトウェイト(lightweight)プロトコルが無線センサには重要である。なぜなら、それらは帯域幅、メモリ、プロセッサ及びパワーに関して、リソースの制約を受けるからである。
【００１７】
データ処理要素２２は、受信されるデータを処理する。１つの実施例において、データ処理要素は、特定のデータが所定の閾値の外側にあるとき、アラームをトリガーするようプログラムされる。別の実施例では、処理要素は、複数の受信される測定を平均化し、データをメモリに格納し、統計的な解析を提供し、時間従属指標(time dependent metrics)などを取得する。
【００１８】
表示デバイス２４は、無線信号を受信し、様々なフォーマットでデータを提供する。ある手法では、データを表すのに棒グラフ、円グラフ、対数グラフ等が使用される。別の手法では、擬似音声(voice emulation)、アラーム信号等といった音声フォーマットでデータが提供される。別の手法では、１つ又は複数のリモートの位置でのデータが(例えば、無線ネットワーク、LAN、WAN等を介して)表示される。更に、データが提供されるタイプ及び態様を変えるため、ユーザインタフェース(図示省略)が使用されることができる。
【００１９】
データ通信要素２６は、患者１６から実質的に任意の個別の受信要素へとデータを送る。例えば、データは、リモートの表示デバイス、リモートのデータストレージ等へ送られることができる。また、データ通信要素は、複数の要素が実質的に同時にデータにアクセスすることを可能にすることができる。
【００２０】
データストレージ要素２８は、１つ又は複数の要素によるアクセスのためのデータを格納する。格納されたデータは、特定のデータ組織化及び／又はフォーマット化要求を持つ１つ又は複数のアプリケーションによる取得を容易にするよう、組織化されインデックス化される。更に、特定の条件に合致するときといった定期的な間隔でデータを格納するよう、データストレージは最適化される。
【００２１】
上述したように、あるノードはデータを提供する(例えば、ECGセンサ)。あるノードはデータを消費する(例えば、ディスプレイ)。そして、あるノードは、データの消費も提供も両方行う(例えば、モニタリングユニット)。サービスは、データ源(例えば、センサ、ストレージユニット、処理ユニット、患者識別子等)とデータタイプ(例えば、ECG、SpO2、温度、NIBP、患者データ等)とにより識別されることができる。これは、例えば、次の表１に示されるように、異なるサービスタイプの識別をもたらす。
【表１】
2008538426.tif 000003
【００２２】
図２は、上記参照のサービスタイプを含む無線センサネットワーク８の別の実施例を示す。図における各矢印は、サービス提供者により提供されるサービスにおけるサービス消費者の興味を表す。患者３２は、ECGセンサ３４、SpO2センサ３６、NIBPセンサ３８、温度センサ４０及び患者識別子モジュール１４を含むサービスポイントに結合される。サービスポイントは、無線センサネットワーク８内の複数のデバイスに情報をブロードキャストする。複数の物理デバイスノードは、サービスポイントからデータを受信し、及び／又は受信したデータを送信する。第１の処理ユニット２２ａ、第２の処理ユニット２２ｂ及びストレージユニット２８は、サービスポイントから受信されるデータを受け入れ、並びに処理し、及び／又は格納する。データは、従来において良く知られる無線プロトコルを用いて、Bluetoothハブ２６ａ及び／又は802.11b/LANハブ２６ｂを介して無線センサネットワークの外側に送信される。表示デバイス２４は、１つ又は複数の他の制御ポイントへの表示及び／又は通信のため、物理デバイスからのデータを受信する。
【００２３】
図３に示されるように、無線ネットワーク内に配置されるノード６０は、１つ又は複数のサービスポイント６２、６４、６６、６８及び／又は制御ポイント７０、７２を含むことができる。１つの実施例において、ノード６０は、モニタリングユニットであり、各ポイントは、ネットワーク全体で一意なアドレスを持つ。アドレッシングは、ポイントの特性に基づかれ、ネットワークトポロジーには基づかれない。ある手法においては、物理デバイスと各関連するノードとが、制御ポイント及び／又はサービスポイントの組み合わせをホストする(host)。
【００２４】
１つの物理デバイスは、１以上のアドレスを利用することができる。もし２つ又はそれ以上のアドレスが、１つの物理デバイスで用いられると、その物理デバイスは共有され、無線アドホックネットワークを介して送信されるすべてのパケットを受信する。その物理デバイスは、そのパケットアドレスが物理デバイスに適合するか、もし適合する場合、そのパケットに含まれる情報を処理するかどうかを決定する。１つの実施例では、物理デバイスは、特定のポイントIDを持つ温度センサから送信されるデータを受信する制御ポイントである。
【００２５】
図４は、デバイスタイプ、機能及び関連する患者に関する４つのフィールド８２、８４、８６、８８を含み、データが配信される基になるポイントアドレス８０を示す。１つ又は複数のサービスポイント及び／又は制御ポイントにより、ポイントアドレス８０が使用される。患者識別フィールド８２は、病院全体で一意な患者識別子番号を含む。サービスタイプ・フィールド８４は、サービスタイプを含む。上述されるように、典型的なサービスタイプは、ECG、NIBP、SpO2、温度等を含む。ポイントタイプ・フィールド８６は、そのポイントがサービスポイントか制御ポイントかを示す。ポイント識別フィールド８８は、同じ患者識別子、サービスタイプ及びポイントタイプを持つポイントが互いに区別されることを可能にする。更に、ポイントアドレスは、ポイントのグループに対する送信又はマルチキャスティングを可能にする。図５に示されるように、各フィールドは、マルチキャストアドレッシングのため１つの値を予約する。
【００２６】
サービスタイプ・フィールド８４及びポイントタイプ・フィールド８６は、関連する物理デバイスに基づき固有の固定値を持つ。例えば、ECGセンサが、無線ネットワークにおける１つ又は複数の制御ポイントにデータを提供する場合、サービスタイプは「ECG」であり、ポイントタイプは「サービス」となる。対照的に、患者IDフィールド８２及びポイントIDフィールド８８は、動的であり、複数の態様のうちの１つで割り当てられる。ある手法において、患者IDを割り当てるため、患者IDモジュール１４は、一意な患者IDを確実にするため、ネットワークにおけるすべての他の患者IDモジュールに問い合わせ(query)を行う。また、患者IDは、病院が患者に割り当てるIDと同じであるようにすることができる。
【００２７】
フィールド８２〜８８のシーケンスは、如何なる順番であってもよいことを理解されたい。パケットが受信されるとき、特定のサービスポイントから送信される情報及び／又は制御ポイントにより消費される情報を集めるべく、すべてのフィールド８２〜８８が読み出される。例えば、階層的なネットワークを構築するといった様々な情報の断片を送信するため、追加的なフィールド(図示省略)がポイントアドレスに追加されることができる。１つの実施例において、追加的なフィールドは、例えばフロア、医療センタ、病棟といった無線センサの位置に関連する。
【００２８】
別の手法においては、ポイントタイプ・フィールドとサービスタイプ・フィールドとが結合される。異なるポイントIDが特定のセンサと共に用いられる。更に、フィールド長は、いずれのタイプの情報をも送信するよう変化することができる。ある手法においては、フィールド長は２ビットであり、最初の１ビットは、サービスポイントを示し、次の１ビットが制御ポイントを示す。
【００２９】
実際には、物理デバイス(例えば、ECG無線センサ)が電源オンにされた後、無線アドホックネットワークに導入されるとき、ポイントID番号がそのデバイスに自律的に割り当てられる。割り当てられたポイントID番号は、ネットワークにおける他の物理デバイスからのすべての他のポイントIDと比較される。衝突がある場合には、その新しく導入された物理デバイスに新しいポイントIDが割り当てられる。衝突がなければ、もともと割り当てられたポイントIDが使用される。
【００３０】
図５は、複数のエンティティ(entity)が実質的に同時にアドレッシングされることができるような４つのマルチキャストアドレス９０、１００、１１０、１２０を示す。各マルチキャストアドレス９０、１００、１１０、１２０は、マルチキャストで使用されることができる少なくとも１つのフィールド９２、９４、９６、９８、１０４、１０６、１０８、１１６、１１８、１２８を提供する。あるモード９０において、マルチキャストアドレス９０の４つのフィールド９２〜９８がすべて使用される。別のモード１２０においては、所与のサービスタイプ及びポイントタイプを備える所与の患者上のすべてのポイントに情報をマルチキャストするため、ポイントIDフィールド１２８が使用される。例えば、患者にあるすべてのパルスセンサが、感知される(sensed)。別の実施例１００においては、ある患者に関するすべてのポイントが一度に読み出され、及び／又は書き込まれる。別のモード１１０においては、所与の患者上の所与のサービスタイプのすべてのアドレスがアドレッシングされる(addressed)。例えば、血中酸素に関するデータを生成又は受信する患者のすべてのポイントがアドレッシングされる。同様に、他のポイントグループがアドレッシングされることができる。そのグループとは、単一のサービスポイント、単一の制御ポイント、すべてのポイント、同じ患者に属するすべてのポイント、患者に関係なく同じサービスタイプを備えるすべてのポイント、同じサービスタイプを提供するすべてのサービスポイント、及び／又は同じサービスタイプを消費する患者のすべての制御ポイントである。このアドレッシングスキーマ(schema)に基づき、ポイントの自動アドレッシング、サービスポイントの発見及び記述、システム内での制御及びイベント通知(eventing)を可能にする一組のプロトコルが提供される。別の例として、異なるセンサが異なるレートでバッテリを使用し、異なるメンテナンス・スケジュールを持つことができる。すべてのECGセンサに対するマルチキャストは、低バッテリ応答をチェックするのに使用されることができる。
【００３１】
上述のアドレッシングスキーマは、従来のアドレッシングスキーマを超える幾つかの利点を提供する。本願のアドレッシングスキーマは、より効率的であり、名前解決を必要とすることなく、ネーミング・インダイレクション(naming indirection)のレベルがより少ないものを利用する。アドレスはトポロジ的位置とは独立しており、アプリケーションに関連する機能に基づかれる。本書で説明される自動自律的アドレッシング技術を用いることにより、サービスポイント及び／又は制御ポイントへのアドレスの割り当ては簡略化される。アドレス衝突は、同じ患者の、同じポイントタイプと同じサービスタイプとを持つポイント間でしか起こりえない。単純で効率的なサービス発見及びイベント通知プロトコルが可能とされる。ポイントは、自己記述的(self-describing)であり、マルチキャストグループが構築される。この態様において、アプリケーションはマルチキャストグループを規定及び結合する必要がない。代わりに、事前のサービス発見を行うことなく、特定の制御ポイント及び／又はサービスポイントのアドレスを用いて、ネットワーク中の特定の位置にメッセージが送信されることができる。
【００３２】
本発明は、好ましい実施形態を参照して説明されてきた。前述の詳細な説明を読み理解すれば、第三者は、修正及び変形を思いつくであろう。本発明は、こうした修正及び変形を、それらが添付された請求項又はその均等物の範囲に含まれる限りにおいて含むものであると解釈されるものである。
【図面の簡単な説明】
【００３３】
【図１】様々な物理デバイスと通信する無線センサを備える無線身体ネットワークを示す図である。
【図２】患者に関連付けられるサービスポイントから複数の制御ポイントに情報が送信される無線ネットワークを示す図である。
【図３】本発明による複数のサービスポイント及び制御ポイントを含むノードを示す図である。
【図４】ネットワークトポロジー内の位置の代わりに、デバイスの機能に関する情報を提供するよう、サービスポイント又は制御ポイントのいずれかと共に用いられるアドレッシング・スキームを示す図である。
【図５】アドレス内の所定のフィールドに対するマルチキャスティングを可能にするアドレッシング・スキーマを示す図である。
【図１】
2008538426.tif 000004
【図２】
2008538426.tif 000005
【図３】
2008538426.tif 000006
【図４】
2008538426.tif 000007
【図５】
2008538426.tif 000008
【国際調査報告】
2008538426.tif 000009
2008538426.tif 000010
2008538426.tif 000011